(57)【要約】【課題】キャリッジの姿勢を安定させることができる記録装置を提供すること。【解決手段】記録装置１１は、液体を用いて媒体に記録するヘッド３１と、ヘッドを搭載し、主走査方向Ｘに往復移動するように構成されるキャリッジ３２と、移動するキャリッジをガイドするように構成されるガイド部３４と、主走査方向に延びるように設けられ、鉛直方向Ｚにおいて下方から上方に向けて折り返されるように湾曲する湾曲部分３８を有し、ヘッドに液体を供給するためにヘッドと接続されるチューブ３７と、キャリッジを押し付ける押付部材５３と、を備え、キャリッジは、ガイド部と接触する第１接触部５１と、押付部材と接触する第２接触部５４とを有し、第１接触部及び第２接触部は、ガイド部を挟むように位置し、押付部材は、ガイド部と接触し、第２接触部をガイド部から離すように下方に向けて押し付ける。【選択図】図６
2020015285.tif 000002
【特許請求の範囲】
【請求項１】
液体を用いて媒体に記録するヘッドと、
前記ヘッドを搭載し、主走査方向に往復移動するように構成されるキャリッジと、
移動する前記キャリッジをガイドするように構成されるガイド部と、
前記主走査方向に延びるように設けられ、鉛直方向において下方から上方に向けて折り返されるように湾曲する湾曲部分を有し、前記ヘッドに前記液体を供給するために前記ヘッドと接続されるチューブと、
前記キャリッジを押し付ける押付部材と、を備え、
前記キャリッジは、前記ガイド部と接触する第１接触部と、前記押付部材と接触する第２接触部とを有し、
前記第１接触部及び前記第２接触部は、前記ガイド部を挟むように位置し、
前記押付部材は、前記ガイド部と接触し、前記第２接触部を前記ガイド部から離すように下方に向けて押し付けることを特徴とする記録装置。
【請求項２】
液体を用いて媒体に記録するヘッドと、
前記ヘッドを搭載し、主走査方向に往復移動するように構成されるキャリッジと、
移動する前記キャリッジをガイドするように構成されるガイド部と、
前記主走査方向に延びるように設けられ、鉛直方向において下方から上方に向けて折り返されるように湾曲する湾曲部分を有し、前記ヘッドに前記液体を供給するために前記ヘッドと接続されるチューブと、
前記キャリッジを押し付ける押付部材と、を備え、
前記キャリッジは、前記ガイド部と接触する第１接触部と、前記押付部材と接触する第２接触部とを有し、
前記第１接触部及び前記第２接触部は、前記ガイド部を挟むように位置し、
前記押付部材は、前記ガイド部と接触し、前記第２接触部を前記ガイド部から離すように押し付け、
前記押付部材が前記第２接触部に押付力を作用させる位置は、前記ガイド部が前記第１接触部に前記押付力の抗力を作用させる位置よりも、前記鉛直方向において下方に位置することを特徴とする記録装置。
【請求項３】
前記押付部材は、前記第２接触部を下方に向けて押し付けることを特徴とする請求項２に記載の記録装置。
【請求項４】
前記第１接触部と接触する前記ガイド部の面は、前記主走査方向から見たときに、前記鉛直方向において前記第１接触部が位置する側から前記第２接触部が位置する側に向けて傾斜することを特徴とする請求項１から請求項３の何れか一項に記載の記録装置。
【請求項５】
前記媒体に記録する前に、前記キャリッジは、前記主走査方向において前記ガイド部の一端寄りに対応するホーム位置から前記ガイド部の他端寄りに対応する反ホーム位置に移動した後、前記反ホーム位置において所定時間待機することを特徴とする請求項１から請求項４の何れか一項に記載の記録装置。
【請求項６】
前記媒体に記録する前に、前記キャリッジは、前記ガイド部に沿って往復移動することを特徴とする請求項１から請求項５の何れか一項に記載の記録装置。
【請求項７】
前記ヘッド及び前記キャリッジの重心は、前記主走査方向及び前記鉛直方向と異なる副走査方向において、前記ガイド部に対して前記第１接触部が位置する側に位置することを特徴とする請求項１から請求項６の何れか一項に記載の記録装置。
【請求項８】
前記チューブにおいて前記湾曲部分よりも上流となる部分を支持する支持部材を備え、
前記支持部材は、前記主走査方向において前記キャリッジが待機する位置であるホーム位置とは反対側となる反ホーム位置寄りに前記キャリッジが位置する際に、前記湾曲部分の曲率を小さくするように構成されることを特徴とする請求項１から請求項７の何れか一項に記載の記録装置。
【発明の詳細な説明】
【技術分野】
【０００１】
本発明は、例えばインクジェット式プリンターなどの記録装置に関する。
【背景技術】
【０００２】
特許文献１には、液体の一例であるインクを噴射するヘッドと、ヘッドを搭載するキャリッジと、ヘッドにインクを供給するためにヘッドと接続されるインクチューブとを備える記録装置が記載されている。この記録装置は、インクチューブの復元力によってキャリッジの姿勢が不安定になることを抑制するために、キャリッジを付勢する付勢手段を備える。
【先行技術文献】
【特許文献】
【０００３】
【特許文献１】特開２００６−９６０２８号公報
【発明の概要】
【発明が解決しようとする課題】
【０００４】
こうした記録装置においては、キャリッジの姿勢を安定させるために、付勢手段を備える構成としているが、インクチューブの湾曲方向が鉛直方向となる場合には、キャリッジの姿勢の安定させるために、さらなる改善が必要となる。
【課題を解決するための手段】
【０００５】
上記課題を解決する記録装置は、液体を用いて媒体に記録するヘッドと、前記ヘッドを搭載し、主走査方向に往復移動するように構成されるキャリッジと、移動する前記キャリッジをガイドするように構成されるガイド部と、前記主走査方向に延びるように設けられ、鉛直方向において下方から上方に向けて折り返されるように湾曲する湾曲部分を有し、前記ヘッドに前記液体を供給するために前記ヘッドと接続されるチューブと、前記キャリッジを押し付ける押付部材と、を備え、前記キャリッジは、前記ガイド部と接触する第１接触部と、前記押付部材と接触する第２接触部とを有し、前記第１接触部及び前記第２接触部は、前記ガイド部を挟むように位置し、前記押付部材は、前記ガイド部と接触し、前記第２接触部を前記ガイド部から離すように下方に向けて押し付ける。
【０００６】
上記課題を解決する記録装置は、液体を用いて媒体に記録するヘッドと、前記ヘッドを搭載し、主走査方向に往復移動するように構成されるキャリッジと、移動する前記キャリッジをガイドするように構成されるガイド部と、前記主走査方向に延びるように設けられ、鉛直方向において下方から上方に向けて折り返されるように湾曲する湾曲部分を有し、前記ヘッドに前記液体を供給するために前記ヘッドと接続されるチューブと、前記キャリッジを押し付ける押付部材と、を備え、前記キャリッジは、前記ガイド部と接触する第１接触部と、前記押付部材と接触する第２接触部とを有し、前記第１接触部及び前記第２接触部は、前記ガイド部を挟むように位置し、前記押付部材は、前記ガイド部と接触し、前記第２接触部を前記ガイド部から離すように押し付け、前記押付部材が前記第２接触部に押付力を作用させる位置は、前記ガイド部が前記第１接触部に前記押付力の抗力を作用させる位置よりも、前記鉛直方向において下方に位置する。
【図面の簡単な説明】
【０００７】
【図１】記録装置の一実施形態を示す斜視図。
【図２】キャリッジがホーム位置に位置するときの正面図。
【図３】ガイド部及びキャリッジの斜視図。
【図４】キャリッジの斜視図。
【図５】キャリッジの側面図。
【図６】キャリッジの側断面図。
【図７】図６の拡大図。
【図８】図５の８−８線に沿う断面図。
【図９】キャリッジが主走査方向の中央に位置するときの正面図。
【図１０】キャリッジが主走査方向の中央と反ホーム位置との間に位置するときの正面図。
【図１１】キャリッジが反ホーム位置に位置するときの正面図。
【図１２】記録前処理の一例を示すフローチャート。
【図１３】記録装置の変更例を示す側断面図。
【図１４】記録装置の別の変更例を示す正面図。
【発明を実施するための形態】
【０００８】
以下、記録装置の一実施形態について図を参照しながら説明する。記録装置は、例えば、用紙等の媒体に液体の一例であるインクを噴射することによって、文字、写真等の画像を記録するインクジェット式のプリンターである。
【０００９】
図１に示すように、記録装置１１は、装置本体１２を備える。装置本体１２は、使用場所に設置された状態で、幅、奥行及び高さとしてそれぞれ所定の長さを有する。図面では、記録装置１１が水平面上に置かれているとして、その重力の方向をＺ軸で示し、Ｚ軸と交差する面に沿う方向をＸ軸及びＹ軸で示す。Ｘ軸、Ｙ軸及びＺ軸は、互いに直交する。Ｘ軸及びＹ軸は、水平面に沿う。以下の説明では、Ｘ軸方向を主走査方向Ｘ、Ｙ軸方向を副走査方向Ｙ、Ｚ軸方向を鉛直方向Ｚともいう。
【００１０】
装置本体１２は、上方を向く上面１２Ａと、前方を向く前面１２Ｂと、後方を向く後面１２Ｃとを含んで構成される。装置本体１２の前面１２Ｂとは、高さと幅を有し、記録装置１１に対する操作を主に行う側面のことをいう。後面１２Ｃは、装置本体１２において前面１２Ｂとは反対側に位置する面である。本実施形態において、後面１２Ｃから前面１２Ｂに向かう方向が副走査方向Ｙである。
【００１１】
記録装置１１は、記録装置１１を操作するための操作部１３を備えてもよい。操作部１３は、装置本体１２の前面１２Ｂの一部を構成するように設けられる。操作部１３は、情報を表示するための表示画面１４、指示を入力するためのボタン１５などを含んで構成される。
【００１２】
装置本体１２は、その上面１２Ａに、媒体Ｓを供給するための供給口１６を有する。本実施形態の供給口１６は、上面１２Ａにおいて、後面１２Ｃ寄りに位置する。上面１２Ａの一部分は、媒体Ｓが載置されるための載置面１７とされる。載置面１７は、供給口１６から前面１２Ｂに向かうように延びる。載置面１７において供給口１６寄りとなる部分は、供給口１６に向けて緩やかに下るように傾斜している。これにより、載置面１７に載置される媒体Ｓを供給口１６に案内しやすくなる。
【００１３】
媒体Ｓは、その先端が供給口１６に挿し込まれた状態で載置面１７に載置される。載置面１７に載置される媒体Ｓは、供給口１６を通じて装置本体１２内に供給される。
記録装置１１は、載置面１７に載置された媒体Ｓをガイドする一対のエッジガイド２１を備えてもよい。本実施形態のエッジガイド２１は、載置面１７上に位置する。エッジガイド２１は、主走査方向Ｘにおいて往復移動するように構成される。載置面１７に載置される媒体Ｓが一対のエッジガイド２１に挟まれると、その媒体Ｓの傾きが補正される。
【００１４】
装置本体１２は、媒体Ｓを排出するための排出口２２を有してもよい。本実施形態の排出口２２は、装置本体１２の前面１２Ｂに開口し、前面１２Ｂにおいて操作部１３よりも下方に位置する。装置本体１２内において記録された媒体Ｓは、排出口２２を通じて装置本体１２外に排出される。
【００１５】
記録装置１１は、記録された媒体Ｓが載置される排出トレイ２３を備えてもよい。排出トレイ２３は、排出口２２から前方に向けて延びるように構成される。排出口２２から排出される媒体Ｓは、排出トレイ２３に載置される。供給口１６又は媒体収容部２６から供給された媒体Ｓは、装置本体１２内において後面１２Ｃ寄りとなる位置から前面１２Ｂに向けて搬送される。
【００１６】
記録装置１１は、１又は複数の容器２４が装着されるように構成される第１装着部２５と、媒体収容部２６が装着されるように構成される第２装着部２７とを備えてもよい。本実施形態の第１装着部２５及び第２装着部２７は、鉛直方向Ｚにおいて装置本体１２の下部寄りに位置し、排出トレイ２３よりも下方に位置する。第１装着部２５は、第２装着部２７よりも下方に位置する。
【００１７】
本実施形態の第１装着部２５は、４つの容器２４が装着されるように構成される。第１装着部２５は、容器２４を取り外しできるようにも構成される。容器２４は、液体を収容する液体収容部２８が装着されるように構成される。容器２４は、液体収容部２８を取り外しできるようにも構成される。液体収容部２８が収容する液体は、記録装置１１が媒体Ｓに記録するために用いられる液体である。
【００１８】
複数の液体収容部２８は、それぞれ異なる種類の液体を収容する。異なる種類の液体とは、例えば、ブラック、シアン、マゼンタ、イエローなど、色の異なるインクである。容器２４は、液体収容部２８を保持しない単体の状態でも第１装着部２５に装着可能である。第１装着部２５は、容器２４を介さず、液体収容部２８が直接装着できる構成としてもよい。液体収容部２８は、例えばインクパックとして構成される。
【００１９】
本実施形態の第１装着部２５は、装置本体１２の前面１２Ｂの一部を構成する前蓋２９によって覆われている。前蓋２９は、その下端を支点に回転するように構成される。前蓋２９が開くと、第１装着部２５が露出され、容器２４の着脱が可能となる。
【００２０】
記録装置１１が備える媒体収容部２６は、装置本体１２の下部に位置し、媒体Ｓを収容するように構成される。媒体収容部２６は、例えば複数の媒体Ｓが積層する状態で媒体Ｓを収容可能である。第２装着部２７は、媒体収容部２６を取り外しできるように構成される。媒体収容部２６は、例えば、装置本体１２に対して着脱可能なカセットとして構成される。媒体収容部２６は、装置本体１２に装着される状態において、装置本体１２の前面１２Ｂの一部を構成する。
【００２１】
図２に示すように、記録装置１１は、制御部３０を備える。制御部３０は、記録装置１１を統括的に制御する。制御部３０は、例えばＣＰＵ及びメモリーを有する。記録装置１１は、メモリーに記憶されるプログラムをＣＰＵが実行することにより、各種の処理動作を実行する。
【００２２】
記録装置１１は、液体を用いて媒体Ｓに記録するヘッド３１と、ヘッド３１を搭載するキャリッジ３２とを備える。ヘッド３１及びキャリッジ３２は、装置本体１２に収容される。ヘッド３１は、媒体Ｓに向けて液体を噴射することにより、媒体Ｓに画像を記録する。キャリッジ３２は、主走査方向Ｘに往復移動するように構成される。キャリッジ３２は、その下部からヘッド３１が露出するようにヘッド３１を搭載する。
【００２３】
記録装置１１は、記録される媒体Ｓを支持する支持部３３を備えてもよい。支持部３３は、ヘッド３１と対向するように位置する。支持部３３は、供給口１６及び媒体収容部２６から供給される媒体Ｓを支持する。支持部３３上において記録された媒体Ｓは、副走査方向Ｙに搬送されることによって、排出口２２から排出される。
【００２４】
記録装置１１は、移動するキャリッジ３２をガイドするように構成されるガイド部３４を備える。そのため、ガイド部３４は、主走査方向Ｘに延びる。キャリッジ３２は、ガイド部３４に沿って移動する。
【００２５】
ガイド部３４は、キャリッジ３２を支持する。ガイド部３４は、キャリッジ３２において装置本体１２の後面１２Ｃ寄りとなる後方寄りの部分を下方から支持する。ガイド部３４は、移動するキャリッジ３２をガイドするように、例えばレール状に形成される。
【００２６】
記録装置１１は、移動するキャリッジ３２をガイドするように構成されるサブガイド部３５を備えてもよい。サブガイド部３５は、ガイド部３４と同様に、主走査方向Ｘに延びる。この場合、キャリッジ３２は、ガイド部３４及びサブガイド部３５に沿って移動する。
【００２７】
サブガイド部３５は、キャリッジ３２を支持する。サブガイド部３５は、ガイド部３４よりも上方に位置する。サブガイド部３５は、キャリッジ３２において装置本体１２の後面１２Ｃ寄りとなる後方寄りの部分を上方から支持する。サブガイド部３５は、移動するキャリッジ３２をガイドするように、例えばレール状に形成される。
【００２８】
記録装置１１は、キャリッジ３２を支持するフレーム３６を備えてもよい。フレーム３６は、例えば板金によって形成され、主走査方向Ｘに延びるように設けられる。本実施形態において、ガイド部３４及びサブガイド部３５は、フレーム３６により形成される。フレーム３６の下端部分が曲げられることにより、レール状のガイド部３４が形成される。フレーム３６の上端部分が曲げられることにより、レール状のサブガイド部３５が形成される。
【００２９】
ガイド部３４は、フレーム３６とは別体で構成されてもよい。記録装置１１は、例えば、主走査方向Ｘに延びる丸棒状のガイド部３４を備えてもよい。サブガイド部３５は、フレーム３６とは別体で構成されてもよい。記録装置１１は、例えば、主走査方向Ｘに延びる丸棒状に延びるサブガイド部３５を備えてもよい。
【００３０】
キャリッジ３２は、通常、ホーム位置１０１で待機する。キャリッジ３２は、例えばヘッド３１が媒体Ｓに記録を実行しないときに、ホーム位置１０１で待機する。主走査方向Ｘにおいてガイド部３４の一端寄りに対応する位置がホーム位置１０１である。そのため、主走査方向Ｘにおいてガイド部３４の一端寄りとなる部分に支持されるキャリッジ３２の位置が、ホーム位置１０１となる。図２に示すキャリッジ３２は、ホーム位置１０１に位置する。
【００３１】
主走査方向Ｘにおいてホーム位置１０１とは反対側となる位置は、キャリッジ３２の反ホーム位置１０２である。主走査方向Ｘにおいてガイド部３４の他端寄りに対応する位置が反ホーム位置１０２である。そのため、主走査方向Ｘにおいてガイド部３４の他端寄りとなる部分に支持されるキャリッジ３２の位置が、反ホーム位置１０２となる。キャリッジ３２は、例えば媒体Ｓに記録する場合に、ホーム位置１０１と反ホーム位置１０２との間で往復移動する。
【００３２】
記録装置１１は、ヘッド３１に液体を供給するためにヘッド３１と接続されるチューブ３７を備える。本実施形態のチューブ３７は、液体収容部２８とヘッド３１とを接続する。チューブ３７は、液体収容部２８から液体をヘッド３１に導く。ヘッド３１は、チューブ３７を介して液体収容部２８から供給される液体を用いて媒体Ｓに記録する。
【００３３】
チューブ３７は、主走査方向Ｘに延びるように設けられる。チューブ３７は、副走査方向Ｙにおいてキャリッジ３２よりも装置本体１２の前面１２Ｂ寄りの領域を延びるように設けられる。
【００３４】
チューブ３７は、鉛直方向Ｚにおいて下方から上方に向けて折り返されるように湾曲する湾曲部分３８を有する。そのため、チューブ３７は、湾曲部分３８よりも上流となる部分と湾曲部分３８よりも下流となる部分とが上下で重なるように延びる。チューブ３７は、湾曲部分３８においてＵ字状に湾曲する。チューブ３７は、例えば可撓性の材料によって形成される。チューブ３７は、キャリッジ３２の移動に伴い湾曲部分３８が変位するように変形する。
【００３５】
キャリッジ３２がホーム位置１０１に位置する場合、チューブ３７において湾曲部分３８よりも上流となる部分は、主走査方向Ｘにおいてホーム位置１０１寄りとなる位置から反ホーム位置１０２に向かうように延びる。キャリッジ３２がホーム位置１０１に位置する場合、チューブ３７において湾曲部分３８よりも下流となる部分は、主走査方向Ｘにおいて中央寄りとなる位置からホーム位置１０１に向かうように延びる。
【００３６】
本実施形態において、チューブ３７は、キャリッジ３２を通じてヘッド３１と接続される。キャリッジ３２には、例えば、チューブ３７とヘッド３１とを接続するための継手３９が設けられる。チューブ３７は、継手３９と接続されることにより、ヘッド３１と接続される。継手３９は、キャリッジ３２において装置本体１２の前面１２Ｂ寄りとなる前方寄りの部分に設けられる。継手３９は、キャリッジ３２の上部に設けられる。
【００３７】
記録装置１１は、チューブ３７において湾曲部分３８よりも上流となる部分を支持する支持部材４１を備えてもよい。支持部材４１は、例えば主走査方向Ｘに延びる板状の部材である。支持部材４１は、装置本体１２内において固定される。支持部材４１は、副走査方向Ｙにおいてキャリッジ３２よりも装置本体１２の前面１２Ｂ寄りとなる位置に位置する。支持部材４１によりチューブ３７を支持することによって、チューブ３７が垂れ下がることを抑制できる。チューブ３７において、ホーム位置１０１に位置する場合に湾曲部分３８よりも上流に位置する一部分が、支持部材４１に固定される。
【００３８】
図３に示すように、記録装置１１は、キャリッジ３２を主走査方向Ｘに往復移動させるための移動機構４４を備えてもよい。本実施形態の移動機構４４は、一対のプーリー４５、ベルト４６及びモーター４７を有する。プーリー４５は、フレーム３６に取り付けられ、鉛直方向Ｚにおいてガイド部３４とサブガイド部３５との間に位置する。一対のプーリー４５は、主走査方向Ｘにおいてフレーム３６の一端寄りとなる部分とフレーム３６の他端寄りとなる部分とにそれぞれ設けられる。
【００３９】
ベルト４６は、一対のプーリー４５に巻き掛けられる。ベルト４６の一部分には、キャリッジ３２が取り付けられる。モーター４７は、一対のプーリー４５のうちの片方と連結される。本実施形態のモーター４７は、主走査方向Ｘにおいてホーム位置１０１寄りに位置する。
【００４０】
モーター４７が駆動すると、モーター４７と連結されるプーリー４５が回転する。プーリー４５が回転すると、ベルト４６が周回する。ベルト４６が周回することにより、キャリッジ３２が移動する。このようにして、移動機構４４は、キャリッジ３２を移動させる。
【００４１】
図３及び図４に示すように、本実施形態のチューブ３７は、複数設けられる。チューブ３７は、例えば、液体収容部２８の数に対応するように４本設けられる。４本のチューブ３７は、引き揃えられた状態で主走査方向Ｘに延びる。
【００４２】
図５に示すように、キャリッジ３２は、ガイド部３４と接触する第１接触部５１を有する。第１接触部５１は、キャリッジ３２の後方寄りとなる部分に設けられる。第１接触部５１は、キャリッジ３２の下部に設けられる。第１接触部５１は、副走査方向Ｙにおいて、ガイド部３４よりも装置本体１２の前面１２Ｂ寄りに位置する。第１接触部５１は、ガイド部３４に対して、副走査方向Ｙにおいて装置本体１２の前面１２Ｂが位置する側から接触する。第１接触部５１は、キャリッジ３２が移動する際に、ガイド部３４に摺動する。
【００４３】
本実施形態の第１接触部５１は、例えばポリアセタール樹脂で形成される突起により構成される。こうすると、ガイド部３４に対する第１接触部５１の摩擦係数が小さくなる。そのため、移動するキャリッジ３２の姿勢を安定させやすくなる。
【００４４】
キャリッジ３２は、サブガイド部３５と接触することによりキャリッジ３２の姿勢を安定させる第３接触部５２を有する。第３接触部５２は、キャリッジ３２の後方寄りとなる部分に設けられる。第３接触部５２は、キャリッジ３２の上部に設けられる。第３接触部５２は、副走査方向Ｙにおいて、サブガイド部３５よりも装置本体１２の後面１２Ｃ寄りに位置する。第３接触部５２は、サブガイド部３５に対して、装置本体１２の後面１２Ｃが位置する側から接触する。第３接触部５２は、キャリッジ３２が移動する際に、サブガイド部３５に摺動する。
【００４５】
ヘッド３１及びキャリッジ３２の重心Ｇは、副走査方向Ｙにおいて、ガイド部３４に対して第１接触部５１が位置する側に位置するように構成されてもよい。すなわち、ヘッド３１及びキャリッジ３２の重心Ｇは、副走査方向Ｙにおいて、ガイド部３４よりも装置本体１２の前面１２Ｂ寄りに位置するように構成されてもよい。こうすると、ヘッド３１及びキャリッジ３２の自重により、キャリッジ３２において前方寄りとなる部分が押し下がるように回転するモーメントが作用する。この場合、第１接触部５１はガイド部３４に押し付けられ、第３接触部５２はサブガイド部３５に押し付けられる。これにより、キャリッジ３２の姿勢が安定する。キャリッジ３２において重心Ｇが装置本体１２の前面１２Ｂに近いほど、キャリッジ３２の姿勢が安定する。
【００４６】
図６に示すように、記録装置１１は、キャリッジ３２を押し付ける押付部材５３を有する。押付部材５３は、キャリッジ３２に取り付けられる。押付部材５３は、キャリッジ３２の後方寄りとなる部分に位置する。押付部材５３は、キャリッジ３２の下部に位置する。
【００４７】
キャリッジ３２は、押付部材５３と接触する第２接触部５４を有する。第２接触部５４は、キャリッジ３２の後方寄りとなる部分に設けられる。第２接触部５４は、キャリッジ３２の下部に設けられる。第２接触部５４は、押付部材５３により押し付けられる。
【００４８】
第１接触部５１及び第２接触部５４は、ガイド部３４を挟むように位置する。本実施形態のキャリッジ３２は、第１接触部５１から第２接触部５４にかけてガイド部３４を上方からまたぐように構成される。
【００４９】
押付部材５３は、第２接触部５４に取り付けられる。押付部材５３は、ガイド部３４と接触する。そのため、押付部材５３は、ガイド部３４と第２接触部５４との間に位置する。押付部材５３は、第２接触部５４をガイド部３４から離すように押し付ける。押付部材５３は、第２接触部５４を押し付けることにより、キャリッジ３２に押付力を作用させる。押付部材５３は、キャリッジ３２が移動する際に、ガイド部３４と摺動する。第１接触部５１及び押付部材５３は、ガイド部３４を挟むようにガイド部３４に接触する。
【００５０】
図７に示すように、本実施形態の押付部材５３は、例えばコイルばね５５と、スライダー５６とを有する。コイルばね５５の一端は、第２接触部５４に取り付けられる。コイルばね５５において一端とは反対側となる他端は、スライダー５６に取り付けられる。
【００５１】
スライダー５６は、ガイド部３４と接触するように位置する。スライダー５６は、例えばポリアセタール樹脂により形成される。こうすると、ガイド部３４に対するスライダー５６の摩擦係数が小さくなる。そのため、移動するキャリッジ３２の姿勢を安定させやすくなる。
【００５２】
第１接触部５１は、ガイド部３４に接触する接触面５７を有する。スライダー５６は、ガイド部３４に接触するスライド面５８を有する。ガイド部３４は、第１接触部５１の接触面５７と接触する第１面６１と、押付部材５３のスライダー５６と接触する第２面６２とを有する。第１面６１は、ガイド部３４において装置本体１２の前面１２Ｂ寄りに位置する面である。第２面６２は、ガイド部３４において装置本体１２の後面１２Ｃ寄りに位置する面である。本実施形態において、第１面６１及び第２面６２は、主走査方向Ｘ及び鉛直方向Ｚにおいて広がりを有する。
【００５３】
キャリッジ３２が主走査方向Ｘに往復移動する際、第１接触部５１の接触面５７がガイド部３４の第１面６１に対して摺動する。キャリッジ３２が主走査方向Ｘに往復移動する際、スライダー５６のスライド面５８がガイド部３４の第２面６２に対して摺動する。
【００５４】
押付部材５３は、ガイド部３４に対して第２接触部５４を下方に向けて押し付けてもよい。本実施形態においては、装置本体１２の設置面に対してコイルばね５５が斜めになるように配置される。こうすると、装置本体１２の設置面に対してコイルばね５５の軸線Ｌが斜めに延びる。コイルばね５５は、軸線Ｌに沿って押付力Ｆでキャリッジ３２を押し付ける。押付力Ｆが作用する位置は、コイルばね５５の軸線Ｌと第２接触部５４とが交わる位置である。押付力Ｆが作用する位置を、力点Ｐとして示す。
【００５５】
押付力Ｆは、装置本体１２の後面１２Ｃを向く成分と下向きの成分とを含む。キャリッジ３２は、押付部材５３による押付力Ｆの下向きの成分によって、下方に向けて押し付けられる。本実施形態において、押付力Ｆにおける装置本体１２の後面１２Ｃを向く成分を第１成分と称し、押付力Ｆにおける下向きの成分を第２成分と称する。押付部材５３は、押付力Ｆの第２成分が押付力Ｆの第１成分よりも小さくなるように構成される。
【００５６】
押付部材５３が第２接触部５４を押し付けることにより、第１接触部５１がガイド部３４に接触する位置に抗力Ｎが生じる。抗力Ｎは、押付力Ｆの第１成分に対応する力である。このように、押付部材５３が第２接触部５４を押し付けることにより、第１接触部５１がガイド部３４に対して押し付けられる。これにより、キャリッジ３２の姿勢を安定させやすくなる。
【００５７】
押付部材５３が第２接触部５４に押付力Ｆを作用させる位置は、ガイド部３４が第１接触部５１に押付力Ｆの抗力Ｎを作用させる位置よりも、鉛直方向Ｚにおいて下方に位置してもよい。本実施形態においては、第１接触部５１と押付部材５３とが、鉛直方向Ｚにおいてずれるように位置する。例えば、第１接触部５１は、鉛直方向Ｚにおいて押付部材５３より上方に位置する。こうすると、第１接触部５１がガイド部３４に接触する位置が、押付力Ｆが作用する力点Ｐよりも上方に位置する。第１接触部５１がガイド部３４に接触する位置を、接触点Ｑとして示す。抗力Ｎは、接触点Ｑに作用する。第１接触部５１の接触面５７の全域がガイド部３４の第１面６１に接触する場合、接触点Ｑは、鉛直方向Ｚにおいて接触面５７の中央に位置する。
【００５８】
鉛直方向Ｚにおいて力点Ｐと接触点Ｑとがずれることにより、押付力Ｆによって、接触点Ｑを支点としてキャリッジ３２を回転させるモーメントがキャリッジ３２に作用する。接触点Ｑが力点Ｐよりも上方に位置するため、キャリッジ３２には、その前方寄りとなる部分が押し下がるようなモーメントが作用する。図７において、矢印で示すように、キャリッジ３２には、反時計回り方向に回転するモーメントが作用する。そのため、第３接触部５２がサブガイド部３５に対して押し付けられる。これにより、キャリッジ３２の姿勢を安定させやすくなる。
【００５９】
図８に示すように、本実施形態において、押付部材５３は、主走査方向Ｘにおいて、キャリッジ３２の両端部分に１つずつ設けられる。そのため、キャリッジ３２の両端部分に、コイルばね５５が１つずつ配置される。２つのコイルばね５５は、第２接触部５４に押付力Ｆをそれぞれ作用させる。
【００６０】
本実施形態のスライダー５６は、２つのコイルばね５５と接触するように設けられる。すなわち、２つの押付部材５３は、１つの共通なスライダー５６を有する。スライダー５６は、コイルばね５５ごとに設けられてもよい。押付部材５３は、３つ以上設けられてもよいし、１つでもよい。
【００６１】
図２、図９、図１０及び図１１に示すように、チューブ３７においては、キャリッジ３２の移動に伴い湾曲部分３８の曲率が変化する。チューブ３７は、キャリッジ３２がホーム位置１０１から反ホーム位置１０２に向けて移動するにつれて、湾曲部分３８の曲率が大きくなるように変形する。
【００６２】
チューブ３７においては、湾曲部分３８がまっすぐに延びようとする復元力が生じる。湾曲部分３８の曲率が大きいほど、この復元力が大きくなる。チューブ３７においては、継手３９と接続される部分と、支持部材４１に固定される部分とが固定端となる。湾曲部分３８の復元力は、この固定端を介して継手３９と支持部材４１とに作用する。
【００６３】
支持部材４１は、装置本体１２内に固定されているため、湾曲部分３８の復元力が作用しても変位しない。キャリッジ３２は、主走査方向Ｘに移動するように構成されるため、装置本体１２内において固定できない。そのため、キャリッジ３２は、湾曲部分３８の復元力が作用すると変位する場合がある。すなわち、チューブ３７の湾曲部分３８における復元力によって、キャリッジ３２の姿勢に影響する場合がある。キャリッジ３２が傾くと、ヘッド３１と支持部３３との距離が変化したり、ヘッド３１の液体の噴射方向が変化したりする。そのため、キャリッジ３２が傾くと、記録品質に影響する。
【００６４】
チューブ３７において湾曲部分３８と継手３９との距離が長いと、湾曲部分３８の復元力がキャリッジ３２に作用しにくい。そのため、図２に示すように、キャリッジ３２がホーム位置１０１に位置する場合は、湾曲部分３８の復元力がキャリッジ３２に作用しにくい。逆に、チューブ３７において湾曲部分３８と継手３９との距離が短いと、湾曲部分３８の復元力がキャリッジ３２に作用しやすい。
【００６５】
図９、図１０及び図１１に示すように、チューブ３７において湾曲部分３８と継手３９との距離が短くなると、湾曲部分３８の復元力によって、キャリッジ３２に上向きの力が作用する。湾曲部分３８の復元力によってキャリッジ３２に作用する上向きの力を、押上力Ｖと称する。
【００６６】
湾曲部分３８の復元力は、主走査方向Ｘにおけるキャリッジ３２の位置によって、異なる向き、異なる大きさでキャリッジ３２に作用する。そのため、主走査方向Ｘにおけるキャリッジ３２の位置によって、キャリッジ３２に作用する押上力Ｖの向き及び大きさが変化する。本実施形態において、押上力Ｖの向き及び大きさは、主走査方向Ｘにおけるキャリッジ３２の位置によって、主としてＸ軸とＺ軸との面内において変化する。
【００６７】
図９に示すように、本実施形態においては、キャリッジ３２が主走査方向Ｘの中央に位置する場合、湾曲部分３８の復元力によって、キャリッジ３２に対して上向き、且つ主走査方向Ｘにおいてホーム位置１０１が位置する側向きに押上力Ｖが作用する。すなわち、この場合には、Ｚ軸成分とＸ軸成分とを含む押上力Ｖがキャリッジ３２に作用する。
【００６８】
キャリッジ３２に押上力Ｖが作用すると、キャリッジ３２が傾くことがある。例えば、Ｘ軸成分及びＺ軸成分を含む押上力Ｖによって、Ｙ軸まわりに回転するモーメントがキャリッジ３２に作用することがある。この場合、キャリッジ３２は、押上力Ｖによって、主走査方向Ｘと鉛直方向Ｚとの面内において傾くおそれがある。本実施形態においては、湾曲部分３８の復元力によって、キャリッジ３２において反ホーム位置１０２寄りとなる部分が浮き上がりやすい。そのため、湾曲部分３８の復元力によって、図９において時計回り方向となる方向に回転するモーメントがキャリッジ３２に作用しやすい。
【００６９】
記録装置１１は、押付部材５３が下方に向けて第２接触部５４を押し付けるように構成される。そのため、押付部材５３により、湾曲部分３８の復元力によるキャリッジ３２の浮き上がりが抑制される。これにより、キャリッジ３２が傾くことが抑制される。本実施形態においては、キャリッジ３２において反ホーム位置１０２寄りとなる部分が浮き上がりやすいため、キャリッジ３２のＹ軸まわりの傾きを抑制するためには、主走査方向Ｘにおいて反ホーム位置１０２寄りに位置する押付部材５３による押し付けが効果的に作用する。
【００７０】
図１０に示すように、本実施形態においては、キャリッジ３２が主走査方向Ｘの中央と反ホーム位置１０２との間に位置する場合、湾曲部分３８の復元力によって、キャリッジ３２に対して上向き、且つ主走査方向Ｘにおいてホーム位置１０１が位置する側向きに押上力Ｖが作用する。すなわち、この場合には、Ｚ軸成分とＸ軸成分とを含む押上力Ｖがキャリッジ３２に作用する。図１０に示す状態において作用する押上力Ｖは、図９に示す状態において作用する押上力Ｖと比較して、Ｚ軸成分が大きく、Ｘ軸成分が小さい。
【００７１】
図１１に示すように、本実施形態においては、キャリッジ３２が反ホーム位置１０２に位置する場合、湾曲部分３８の復元力によって、キャリッジ３２に対して上向きに押上力Ｖが作用する。すなわち、この場合には、Ｚ軸成分を含む押上力Ｖがキャリッジ３２に作用する。図１１に示す状態において作用する押上力Ｖは、図８及び図９に示す状態において作用する押上力Ｖと比較して、Ｚ軸成分が大きく、Ｘ軸成分が小さい。キャリッジ３２が反ホーム位置１０２に位置するときの押上力Ｖは、Ｘ軸成分を有していてもよいし、有していなくてもよい。
【００７２】
キャリッジ３２に押上力Ｖが作用すると、キャリッジ３２が傾くことがある。例えば、Ｚ軸成分を含む押上力Ｖによって、Ｘ軸まわりに回転するモーメントがキャリッジ３２に作用することがある。この場合、キャリッジ３２は、押上力Ｖによって、副走査方向Ｙと鉛直方向Ｚとの面内において傾くおそれがある。すなわち、キャリッジ３２の前方寄りとなる部分が浮き上がるおそれがある。押上力ＶのＺ軸成分が大きくなるほど、キャリッジ３２の前方寄りとなる部分が浮き上がりやすくなる。
【００７３】
記録装置１１は、押付部材５３が第２接触部５４に押付力Ｆを作用させる位置が、ガイド部３４が第１接触部５１に押付力Ｆの抗力Ｎを作用させる位置よりも鉛直方向Ｚにおいて上方に位置するように構成される。この場合、押付部材５３の押付力Ｆによって、押付力Ｆの抗力Ｎが作用する位置を支点に、キャリッジ３２を押し下げるように回転させるモーメントがキャリッジ３２に作用する。これにより、キャリッジ３２の浮き上がりが抑制される。
【００７４】
媒体Ｓに記録する前に、キャリッジ３２は、ホーム位置１０１から反ホーム位置１０２に移動した後、反ホーム位置１０２において所定時間待機してもよい。こうすると、チューブ３７の湾曲部分３８における湾曲の癖が低減される。チューブ３７の湾曲部分３８における湾曲の癖は、キャリッジ３２が移動する際の抵抗力となる。そのため、湾曲部分３８における湾曲の癖を低減することにより、このような抵抗力が低減される。これにより、媒体Ｓに記録する際のキャリッジ３２の姿勢が安定しやすくなる。
【００７５】
媒体Ｓに記録する前に、キャリッジ３２は、ガイド部３４に沿って往復移動するように構成されてもよい。この場合、往復移動する回数は、１回でもよいし、複数回でもよい。キャリッジ３２を往復移動させることにより、チューブ３７を柔らかくなる。チューブ３７が柔らかくなると、キャリッジ３２が移動する際のチューブ３７による抵抗力が低減される。これにより、媒体Ｓに記録する際のキャリッジ３２の姿勢を安定しやすくなる。
【００７６】
制御部３０は、例えば、キャリッジ３２が移動する際のチューブ３７による抵抗力を低減するために、記録前処理を実行してもよい。制御部３０は、例えば、記録する画像データを入力された際に、記録前処理を開始する。
【００７７】
図１２に示すように、記録前処理を実行する制御部３０は、ステップＳ１１において、キャリッジ３２を反ホーム位置１０２に移動させる。このとき、キャリッジ３２は、ホーム位置１０１から反ホーム位置１０２に向けて移動する。これにより、チューブ３７において湾曲部分３８が変位する。
【００７８】
次に、制御部３０は、ステップＳ１２において、キャリッジ３２を所定時間待機させる。このとき、キャリッジ３２は、反ホーム位置１０２において所定時間待機する。キャリッジ３２が反ホーム位置１０２で所定時間待機することにより、ホーム位置１０１に位置していたときについた湾曲部分３８の湾曲の癖が低減される。これにより、キャリッジ３２が移動する際のチューブ３７による抵抗力が低減される。
【００７９】
ステップＳ１２における所定時間とは、湾曲部分３８の湾曲の癖が十分に低減されると見込まれる時間である。この所定時間は、記録前処理を実行する前にキャリッジ３２がホーム位置１０１で待機していた時間の長さに基づいて変更してもよい。
【００８０】
制御部３０は、反ホーム位置１０２においてキャリッジ３２を所定時間待機させた後、記録前処理を終了する。記録前処理を終了した後、反ホーム位置１０２を始点にキャリッジ３２を主走査方向Ｘに移動させることによって媒体Ｓに記録してもよい。記録前処理を終了した後、キャリッジ３２をホーム位置１０１に戻してもよい。
【００８１】
図１２に示す記録前処理において、ステップＳ１２の処理を変更してもよい。例えば、ステップＳ１２の処理を、キャリッジ３２をホーム位置１０１に移動させる、としてもよい。この場合、記録前処理を実行する制御部３０は、媒体Ｓに記録する前に、キャリッジ３２をガイド部３４に沿って往復移動させる。媒体Ｓに記録する前にチューブ３７を事前に変形させることによって、チューブ３７を柔らかくなる。これにより、キャリッジ３２が移動する際のチューブ３７による抵抗力が低減される。
【００８２】
次に、上記実施形態の作用及び効果について説明する。
（１）押付部材５３は、ガイド部３４と接触し、第２接触部５４をガイド部３４から離すように下方に向けて押し付ける。チューブ３７の湾曲部分３８における復元力によって、キャリッジ３２に上向きの力が作用することがある。この場合、キャリッジ３２が浮き上がることによって、キャリッジ３２の姿勢が不安定になるおそれがある。例えば、キャリッジ３２に上向きの力が作用すると、キャリッジ３２が主走査方向Ｘと鉛直方向Ｚとの面内において傾くことがある。この点、押付部材５３が第２接触部５４を下方に向けて押し付けると、キャリッジ３２に下向きの力が作用する。すなわち、押付部材５３によって、チューブ３７の復元力によりキャリッジ３２に作用する上向きの力を低減できる。したがって、キャリッジ３２の姿勢を安定させることができる。
【００８３】
（２）押付部材５３が第２接触部５４に押付力Ｆを作用させる位置は、ガイド部３４が第１接触部５１に押付力Ｆの抗力Ｎを作用させる位置よりも、鉛直方向Ｚにおいて下方に位置する。チューブ３７の湾曲部分３８における復元力によって、キャリッジ３２に上向きの力が作用することがある。この場合、キャリッジ３２が浮き上がることによって、キャリッジ３２の姿勢が不安定になるおそれがある。例えば、キャリッジ３２に上向きの力が作用すると、主走査方向Ｘを軸方向としてキャリッジ３２が傾くことがある。この点、押付部材５３が第２接触部５４に押付力Ｆを作用させる位置が、ガイド部３４が第１接触部５１に押付力Ｆの抗力Ｎを作用させる位置よりも鉛直方向Ｚにおいて下方に位置すると、押付部材５３の押付力Ｆによって、押付力Ｆの抗力Ｎが作用する位置を支点に、キャリッジ３２を押し下げるように回転させるモーメントがキャリッジ３２に作用する。すなわち、押付部材５３によって、チューブ３７の復元力によりキャリッジ３２に作用する上向きの力を低減できる。したがって、キャリッジ３２の姿勢を安定させることができる。
【００８４】
（３）媒体Ｓに記録する前に、キャリッジ３２は、ホーム位置１０１から反ホーム位置１０２に移動した後、反ホーム位置１０２において所定時間待機する。こうすると、チューブ３７の湾曲部分３８における湾曲の癖が低減される。チューブ３７の湾曲部分３８における湾曲の癖は、キャリッジ３２が移動する際の抵抗力となる。そのため、湾曲部分３８における湾曲の癖を低減することにより、このような抵抗力を低減できる。これにより、媒体Ｓに記録する際のキャリッジ３２の姿勢を安定させることができる。
【００８５】
（４）媒体Ｓに記録する前に、キャリッジ３２は、ガイド部３４に沿って往復移動する。こうすると、キャリッジ３２を往復移動させることにより、チューブ３７を柔らかくすることができる。チューブ３７が柔らかくなると、キャリッジ３２が移動する際のチューブ３７による抵抗力が低減される。これにより、媒体Ｓに記録する際のキャリッジ３２の姿勢を安定させることができる。
【００８６】
（５）ヘッド３１及びキャリッジ３２の重心Ｇは、副走査方向Ｙにおいて、ガイド部３４に対して第１接触部５１が位置する側に位置してもよい。こうすると、ヘッド３１及びキャリッジ３２の自重によって、キャリッジ３２を押し下げるように回転させるモーメントがキャリッジ３２に作用する。これにより、キャリッジ３２の姿勢を安定させることができる。
【００８７】
本実施形態は、以下のように変更して実施することができる。本実施形態及び以下の変更例は、技術的に矛盾しない範囲で互いに組み合わせて実施することができる。
・図１３に示すように、第１接触部５１と接触するガイド部３４の第１面６１は、主走査方向Ｘから見たときに、鉛直方向Ｚにおいて第１接触部５１が位置する側から第２接触部５４が位置する側に向けて傾斜してもよい。すなわち、ガイド部３４の第１面６１は、上方から下方にかけて、装置本体１２の前面１２Ｂが位置する側から後面１２Ｃが位置する側に向けて傾斜してもよい。こうすると、以下の効果を得ることができる。
【００８８】
（６）第１接触部５１において上方寄りの部分がガイド部３４に接触しやすくなる。ガイド部３４において第１接触部５１の接触する位置と第２接触部５４において押付部材５３の押付力Ｆが作用する位置との鉛直方向Ｚにおける距離が長くなる。この距離が長くなると、キャリッジ３２を押し下げるように回転させるモーメントが大きくなる。これにより、キャリッジ３２の姿勢を安定させることができる。
【００８９】
この変更例の構成を採用する場合、第１接触部５１は、押付部材５３よりも上方に位置していなくともよい。押付部材５３が第２接触部５４に押付力Ｆを作用させる位置が、ガイド部３４が第１接触部５１に押付力Ｆの抗力Ｎを作用させる位置よりも下方に位置していればよい。
【００９０】
上記実施形態におけるガイド部３４は、フレーム３６の一部分を曲げることによって形成されている。ガイド部３４を形成するために曲げられるフレーム３６の曲げ角度を小さくすることによって、第１面６１を鉛直方向Ｚにおいて第１接触部５１が位置する側から第２接触部５４が位置する側に向けて傾斜させてもよい。この場合、第１面６１及び第２面６２は、ともに鉛直方向Ｚにおいて第１接触部５１が位置する側から第２接触部５４が位置する側に向けて傾斜する。そのため、第１面６１と接触面５７との間の角度が鋭角となるようにガイド部３４が傾斜する。
【００９１】
・第１接触部５１の接触面５７は、主走査方向Ｘから見たときに、上方から下方にかけて、装置本体１２の後面１２Ｃが位置する側から前面１２Ｂが位置する側に向けて傾斜してもよい。こうすると、上述の変更例と同様に、第１接触部５１において上方寄りの部分がガイド部３４に接触しやすくなる。これにより、キャリッジ３２の姿勢を安定させることができる。
【００９２】
・図１４に示すように、支持部材４１は、主走査方向Ｘにおいてキャリッジ３２が待機する位置であるホーム位置１０１とは反対側となる反ホーム位置１０２寄りにキャリッジ３２が位置する際に、湾曲部分３８の曲率を小さくするように構成されてもよい。この変更例における支持部材４１は、チューブ３７を支持する高さが異なる第１支持部分６５と第２支持部分６６とを有する。第１支持部分６５は、第２支持部分６６よりも鉛直方向Ｚにおいて上方に位置する。支持部材４１において、第１支持部分６５と第２支持部分６６との間には段差が形成されている。
【００９３】
支持部材４１において、第１支持部分６５はホーム位置１０１寄りに位置し、第２支持部分６６は反ホーム位置１０２寄りに位置する。第２支持部分６６は、キャリッジ３２が反ホーム位置１０２寄りに位置するときにチューブ３７を支持する。第１支持部分６５は、キャリッジ３２の位置によらずチューブ３７を支持する。第２支持部分６６は、キャリッジ３２が反ホーム位置１０２寄りに位置するときにチューブ３７において湾曲部分３８よりも上流となる部分のうちの下流寄りの一部分を支持する。第１支持部分６５は、キャリッジ３２が反ホーム位置１０２寄りに位置するときに、チューブ３７において湾曲部分３８よりも上流となる部分のうちの上流寄りの一部分を支持する。
【００９４】
チューブ３７の湾曲部分３８における曲率が大きいほど、チューブ３７の湾曲部分３８における復元力が大きくなる。特に、キャリッジ３２が主走査方向Ｘにおいて反ホーム位置１０２寄りに位置する際に、チューブ３７の曲率が大きくなりやすい。この点、支持部材４１は、キャリッジ３２が主走査方向Ｘにおいて反ホーム位置１０２寄りに位置する際に、チューブ３７の曲率を小さくするように構成される。図１４に示す変更例においては、キャリッジ３２が反ホーム位置１０２寄りに位置する場合にチューブ３７を支持する部分である第２支持部分６６が、第１支持部分６５よりも低い位置に設けられる。こうすると、キャリッジ３２が反ホーム位置１０２寄りに位置する場合において、第２支持部分６６が第１支持部分６５と同じ高さに設けられる構成と比較して、チューブ３７の湾曲部分３８における曲率を小さくできる。すなわち、これによれば、キャリッジ３２の移動に伴いチューブ３７の曲率が大きくなることを抑制できる。したがって、チューブ３７の復元力によってキャリッジ３２に作用する上向きの力を低減できる。
【００９５】
キャリッジ３２が反ホーム位置１０２寄りに位置する場合において湾曲部分３８の曲率を小さくするために、第２支持部分６６を有しない支持部材４１を設けてもよい。すなわち、この場合の支持部材４１は、キャリッジ３２が反ホーム位置１０２寄りに位置する場合に、チューブ３７において湾曲部分３８よりも上流となる部分のうち下流寄りの一部分を支持しない構成となる。このような構成でも、キャリッジ３２が反ホーム位置１０２寄りに位置する場合におけるチューブ３７の湾曲部分３８の曲率が大きくなることを抑制できる。
【００９６】
・チューブ３７は、装置本体１２の外部に設けられる液体収容部と接続されてもよい。
・媒体Ｓは、用紙に限らず金属フィルム、プラスチックフィルム、布帛などでもよい。
・ヘッド３１が噴射する液体はインクに限らず、例えば機能材料の粒子が液体に分散又は混合されてなる液状体などでもよい。例えば、ヘッド３１が液晶ディスプレイ、エレクトロルミネッセンスディスプレイ及び面発光ディスプレイの製造などに用いられる電極材または色材などの材料を分散または溶解のかたちで含む液状体を噴射してもよい。
【００９７】
以下に、上述した実施形態及び変更例から把握される技術的思想及びその作用効果を記載する。
記録装置は、液体を用いて媒体に記録するヘッドと、前記ヘッドを搭載し、主走査方向に往復移動するように構成されるキャリッジと、移動する前記キャリッジをガイドするように構成されるガイド部と、前記主走査方向に延びるように設けられ、鉛直方向において下方から上方に向けて折り返されるように湾曲する湾曲部分を有し、前記ヘッドに前記液体を供給するために前記ヘッドと接続されるチューブと、前記キャリッジを押し付ける押付部材と、を備え、前記キャリッジは、前記ガイド部と接触する第１接触部と、前記押付部材と接触する第２接触部とを有し、前記第１接触部及び前記第２接触部は、前記ガイド部を挟むように位置し、前記押付部材は、前記ガイド部と接触し、前記第２接触部を前記ガイド部から離すように下方に向けて押し付ける。
【００９８】
チューブの湾曲部分における復元力によって、キャリッジに上向きの力が作用することがある。この場合、キャリッジが浮き上がることによって、キャリッジの姿勢が不安定になるおそれがある。例えば、キャリッジに上向きの力が作用すると、キャリッジが主走査方向と鉛直方向との面内において傾くことがある。この点、押付部材が第２接触部を下方に向けて押し付けると、キャリッジに下向きの力が作用する。すなわち、上記構成によれば、押付部材によって、チューブの復元力によりキャリッジに作用する上向きの力を低減できる。したがって、キャリッジの姿勢を安定させることができる。
【００９９】
記録装置は、液体を用いて媒体に記録するヘッドと、前記ヘッドを搭載し、主走査方向に往復移動するように構成されるキャリッジと、移動する前記キャリッジをガイドするように構成されるガイド部と、前記主走査方向に延びるように設けられ、鉛直方向において下方から上方に向けて折り返されるように湾曲する湾曲部分を有し、前記ヘッドに前記液体を供給するために前記ヘッドと接続されるチューブと、前記キャリッジを押し付ける押付部材と、を備え、前記キャリッジは、前記ガイド部と接触する第１接触部と、前記押付部材と接触する第２接触部とを有し、前記第１接触部及び前記第２接触部は、前記ガイド部を挟むように位置し、前記押付部材は、前記ガイド部と接触し、前記第２接触部を前記ガイド部から離すように押し付け、前記押付部材が前記第２接触部に押付力を作用させる位置は、前記ガイド部が前記第１接触部に前記押付力の抗力を作用させる位置よりも、前記鉛直方向において下方に位置する。
【０１００】
チューブの湾曲部分における復元力によって、キャリッジに上向きの力が作用することがある。この場合、キャリッジが浮き上がることによって、キャリッジの姿勢が不安定になるおそれがある。例えば、キャリッジに上向きの力が作用すると、主走査方向を軸方向としてキャリッジが傾くことがある。この点、押付部材が第２接触部に押付力を作用させる位置が、ガイド部が第１接触部に押付力の抗力を作用させる位置よりも鉛直方向において下方に位置すると、押付部材の押付力によって、押付力の抗力が作用する位置を支点にキャリッジを押し下げるように回転させるモーメントがキャリッジに作用する。すなわち、上記構成によれば、押付部材によって、チューブの復元力によりキャリッジに作用する上向きの力を低減できる。したがって、キャリッジの姿勢を安定させることができる。
【０１０１】
記録装置において、前記押付部材は、前記第２接触部を下方に向けて押し付けてもよい。
チューブの湾曲部分による復元力によって、キャリッジに上向きの力が作用することがある。この場合、キャリッジが浮き上がることによって、キャリッジの姿勢が不安定になるおそれがある。例えば、キャリッジに上向きの力が作用すると、キャリッジが主走査方向と鉛直方向との面内において傾くことがある。この点、押付部材が第２接触部を下方に向けて押し付けると、キャリッジに下向きの力が作用する。すなわち、上記構成によれば、押付部材によって、チューブの復元力によりキャリッジに作用する上向きの力を低減できる。したがって、キャリッジの姿勢を安定させることができる。
【０１０２】
記録装置において、前記第１接触部と接触する前記ガイド部の面は、前記主走査方向から見たときに、前記鉛直方向において前記第１接触部が位置する側から前記第２接触部が位置する側に向けて傾斜してもよい。
【０１０３】
この構成によれば、第１接触部において上方寄りとなる部分がガイド部に接触しやすくなる。この場合、押付部材が第２接触部に押付力を作用させる位置とガイド部が第１接触部に押付力の抗力を作用させる位置との鉛直方向における距離が長くなる。この距離が長くなると、キャリッジを押し下げるように回転させるモーメントが大きくなる。これにより、キャリッジの姿勢を安定させることができる。
【０１０４】
記録装置において、前記媒体に記録する前に、前記キャリッジは、前記主走査方向において前記ガイド部の一端寄りに対応するホーム位置から前記ガイド部の他端寄りに対応する反ホーム位置に移動した後、前記反ホーム位置において所定時間待機してもよい。
【０１０５】
この構成によれば、チューブの湾曲部分における湾曲の癖が低減される。チューブの湾曲部分における湾曲の癖は、キャリッジが移動する際の抵抗力となる。そのため、湾曲部分における湾曲の癖を低減することにより、このような抵抗力を低減できる。これにより、媒体に記録する際のキャリッジの姿勢を安定させることができる。
【０１０６】
記録装置において、前記媒体に記録する前に、前記キャリッジは、前記ガイド部に沿って往復移動してもよい。
この構成によれば、キャリッジを往復移動させることにより、チューブを柔らかくすることができる。チューブが柔らかくなると、キャリッジが移動する際のチューブによる抵抗力が低減される。これにより、媒体に記録する際のキャリッジの姿勢を安定させることができる。
【０１０７】
記録装置において、前記ヘッド及び前記キャリッジの重心は、前記主走査方向及び前記鉛直方向と異なる副走査方向において、前記ガイド部に対して前記第１接触部が位置する側に位置してもよい。
【０１０８】
この構成によれば、ヘッド及びキャリッジの自重によって、キャリッジを押し下げるように回転させるモーメントがキャリッジに作用する。これにより、キャリッジの姿勢を安定させることができる。
【０１０９】
記録装置において、前記チューブにおいて前記湾曲部分よりも上流となる部分を支持する支持部材を備え、前記支持部材は、前記主走査方向において前記キャリッジが待機する位置であるホーム位置とは反対側となる反ホーム位置寄りに前記キャリッジが位置する際に、前記湾曲部分の曲率を小さくするように構成されてもよい。
【０１１０】
チューブの湾曲部分における曲率が大きいほど、チューブの湾曲部分における復元力が大きくなる。特に、キャリッジが主走査方向において反ホーム位置寄りに位置する際に、チューブの曲率が大きくなりやすい。この点、支持部材は、キャリッジが主走査方向において反ホーム位置寄りに位置する際に、チューブの曲率を小さくするように構成される。すなわち、上記構成によれば、キャリッジの移動に伴いチューブの曲率が大きくなることを抑制できる。したがって、チューブの復元力によってキャリッジに作用する上向きの力を低減できる。
【符号の説明】
【０１１１】
１１…記録装置、１２…装置本体、１２Ａ…上面、１２Ｂ…前面、１２Ｃ…後面、１３…操作部、１４…表示画面、１５…ボタン、１６…供給口、１７…載置面、２１…エッジガイド、２２…排出口、２３…排出トレイ、２４…容器、２５…第１装着部、２６…媒体収容部、２７…第２装着部、２８…液体収容部、２９…前蓋、３０…制御部、３１…ヘッド、３２…キャリッジ、３３…支持部、３４…ガイド部、３５…サブガイド部、３６…フレーム、３７…チューブ、３８…湾曲部分、３９…継手、４１…支持部材、４４…移動機構、４５…プーリー、４６…ベルト、４７…モーター、５１…第１接触部、５２…第３接触部、５３…押付部材、５４…第２接触部、５５…コイルばね、５６…スライダー、５７…接触面、５８…スライド面、６１…第１面、６２…第２面、６５…第１支持部分、６６…第２支持部分、１０１…ホーム位置、１０２…反ホーム位置、Ｆ…押付力、Ｇ…重心、Ｌ…軸線、Ｎ…抗力、Ｐ…力点、Ｑ…接触点、Ｓ…媒体、Ｖ…押上力、Ｘ…主走査方向、Ｙ…副走査方向、Ｚ…鉛直方向。
【図１】
2020015285.tif 000003
【図２】
2020015285.tif 000004
【図３】
2020015285.tif 000005
【図４】
2020015285.tif 000006
【図５】
2020015285.tif 000007
【図６】
2020015285.tif 000008
【図７】
2020015285.tif 000009
【図８】
2020015285.tif 000010
【図９】
2020015285.tif 000011
【図１０】
2020015285.tif 000012
【図１１】
2020015285.tif 000013
【図１２】
2020015285.tif 000014
【図１３】
2020015285.tif 000015
【図１４】
2020015285.tif 000016